(57)【要約】【課題】容器本体を閉じたり、容器本体の裏側に移動させることが可能な蓋体を備える容器を対象として、構造が簡単で、外形寸法を小型化することが可能であり、また、良好な外観を確保できるとともに、構造の合理化を達成することが可能な容器の提供を目的とする。【解決手段】容器本体２に形成されたヒンジ溝３と、容器本体を開閉する蓋体４に設けられ、ヒンジ溝に回転自在に挿入されたヒンジ突起５と、容器本体に、ヒンジ溝と連通させて前後方向に沿って形成されたスライド溝６と、スライド溝とヒンジ溝との間に形成され、スライドするヒンジ突起を係脱自在に係止する第１係止部７と、容器本体の前端に設けられ、蓋体の回動およびスライド移動を規制し当該蓋体を止錠する止錠部８と、スライド溝の前端に形成され、スライドするヒンジ突起を係脱自在に係止して、容器本体下方でスライド移動される開放状態の蓋体を制止する第２係止部９とを備えた。【選択図】図３
2007308160.tif 000002
【特許請求の範囲】
【請求項１】
容器本体の後端に形成されたヒンジ溝と、上記容器本体を開閉する蓋体に設けられ、上記ヒンジ溝に回転自在に挿入されて、該容器本体に対し該蓋体を回動自在に連結するヒンジ突起と、上記容器本体に、上記ヒンジ溝と連通させて前後方向に沿って形成され、上記ヒンジ突起をスライドさせて、該容器本体の上方に重ね合わせた閉止状態から該容器本体後方へ展開された開放状態まで回動される上記蓋体を、該容器本体の上方や下方で前後方向にスライド移動させるためのスライド溝と、該スライド溝と上記ヒンジ溝との間に形成され、スライドする上記ヒンジ突起を係脱自在に係止する第１係止部と、上記容器本体の前端に設けられ、上記ヒンジ突起を係止する上記第１係止部との間で閉止状態の上記蓋体を挟んで、該蓋体の回動およびスライド移動を規制し当該蓋体を止錠する止錠部と、上記スライド溝の前端に形成され、スライドする上記ヒンジ突起を係脱自在に係止して、上記容器本体下方でスライド移動される開放状態の上記蓋体を制止する第２係止部とを備えたことを特徴とする容器。
【発明の詳細な説明】
【技術分野】
【０００１】
本発明は、容器本体を閉じたり、容器本体の裏側に移動させることが可能な蓋体を備える容器を対象として、構造が簡単で、外形寸法を小型化することが可能であり、また、良好な外観を確保できるとともに、構造の合理化を達成することが可能な容器に関する。
【背景技術】
【０００２】
容器本体を閉じたり、容器本体の裏側に移動させることが可能な蓋体を備える容器として、特許文献１が知られている。特許文献１にあっては、対向する二つの側面にスライド溝を有する容器本体と、前記スライド溝に対応した位置にボス部を有する蓋体とからなり、前記蓋体が、スライド溝内のストッパーに係脱自在に係止された前記ボス部を回転軸として回転可能であるとともに、該ボス部が前記スライド溝に沿って摺動することにより前記蓋体が前記容器本体の裏側に移動可能なコンパクト容器であって、前記蓋体は一端にフック形状の係合部を有し、前記容器本体は対向する両端に、前記蓋体の係合部を係止する二つの突起状の係止部を有することにより、前記蓋体を閉じた際及び前記容器本体の裏側に移動させた際に係合し得るように構成されている。
【特許文献１】特開平１１−２９９５３３号公報
【発明の開示】
【発明が解決しようとする課題】
【０００３】
上記背景技術にあっては、蓋体にフック形状の係合部を形成し、容器本体には、フック形状の係合部を係合させるために突起状に形成される係止部を二つ設けるようにしているため、構造が複雑であるとともに、これらによって、容器の外形寸法が大型化するという課題があった。また、蓋体の係合部が容器本体のいずれか一方の係止部に係合しているときには、容器本体の他方の係止部が外観に現れて、容器の外観が損なわれるという課題があった。さらに、蓋体を開く際のボス部の回転作用を安定化させるスライド溝に設けたストッパー、蓋体の閉止状態を安定的に維持する蓋体の係合部と容器本体の一方の係止部による係合機構、容器本体の裏側に移動させた蓋体を安定的に位置保持する蓋体の係合部と容器本体の他方の係止部による係合機構が個別的であり、構造の合理性の改善も求められていた。
【０００４】
本発明は上記従来の課題に鑑みて創案されたものであって、容器本体を閉じたり、容器本体の裏側に移動させることが可能な蓋体を備える容器を対象として、構造が簡単で、外形寸法を小型化することが可能であり、また、良好な外観を確保できるとともに、構造の合理化を達成することが可能な容器を提供することを目的とする。
【課題を解決するための手段】
【０００５】
本発明にかかる容器は、容器本体の後端に形成されたヒンジ溝と、上記容器本体を開閉する蓋体に設けられ、上記ヒンジ溝に回転自在に挿入されて、該容器本体に対し該蓋体を回動自在に連結するヒンジ突起と、上記容器本体に、上記ヒンジ溝と連通させて前後方向に沿って形成され、上記ヒンジ突起をスライドさせて、該容器本体の上方に重ね合わせた閉止状態から該容器本体後方へ展開された開放状態まで回動される上記蓋体を、該容器本体の上方や下方で前後方向にスライド移動させるためのスライド溝と、該スライド溝と上記ヒンジ溝との間に形成され、スライドする上記ヒンジ突起を係脱自在に係止する第１係止部と、上記容器本体の前端に設けられ、上記ヒンジ突起を係止する上記第１係止部との間で閉止状態の上記蓋体を挟んで、該蓋体の回動およびスライド移動を規制し当該蓋体を止錠する止錠部と、上記スライド溝の前端に形成され、スライドする上記ヒンジ突起を係脱自在に係止して、上記容器本体下方でスライド移動される開放状態の上記蓋体を制止する第２係止部とを備えたことを特徴とする。
【発明の効果】
【０００６】
本発明にかかる容器にあっては、容器本体を閉じたり、容器本体の裏側に移動させることが可能な蓋体を備える容器を対象として、構造が簡単で、外形寸法を小型化することができ、また、良好な外観を確保できるとともに、構造の合理化を達成することができる。
【発明を実施するための最良の形態】
【０００７】
以下に、本発明にかかる容器の好適な一実施形態を、添付図面を参照して詳細に説明する。本実施形態にかかる容器１は基本的には図１〜図３に示すように、容器本体２の後端に形成されたヒンジ溝３と、容器本体２を開閉する蓋体４に設けられ、ヒンジ溝３に回転自在に挿入されて、容器本体２に対し蓋体４を回動自在に連結するヒンジ突起５と、容器本体２に、ヒンジ溝３と連通させて前後方向に沿って形成され、ヒンジ突起５をスライドさせて、容器本体２の上方に重ね合わせた閉止状態から容器本体２後方へ展開された開放状態まで回動される蓋体４を、容器本体２の上方や下方で前後方向にスライド移動させるためのスライド溝６と、スライド溝６とヒンジ溝３との間に形成され、スライドするヒンジ突起５を係脱自在に係止する第１係止部７と、容器本体２の前端に設けられ、ヒンジ突起５を係止する第１係止部７との間で閉止状態の蓋体４を挟んで、蓋体４の回動およびスライド移動を規制し当該蓋体４を止錠する止錠部８と、スライド溝６の前端に形成され、スライドするヒンジ突起５を係脱自在に係止して、容器本体２下方でスライド移動される開放状態の蓋体４を制止する第２係止部９とを備えて構成される。
【０００８】
容器１は主に、合成樹脂製の容器本体２および蓋体４から構成される。容器本体２は、底壁２ａの外周縁から左右一対の側壁２ｂおよび前後一対の前後壁２ｃ，２ｄが立ち上げられて、平面外形輪郭が矩形状に形成され、これら側壁２ｂおよび前後壁２ｃ，２ｄで取り囲まれた内方に、化粧皿１０や化粧具を収納するための収納凹所１１が形成される。蓋体４は、容器本体２を閉止可能に、収納凹所１１を上方から覆う天板４ａと、天板４ａの左右両端から左右一対で垂下され、容器本体２の各側壁２ｂに沿って前後方向にスライド可能に、当該側壁２ｂにそれらの側方から重ね合わされる側板４ｂとから、正面断面がコ字状に形成される。
【０００９】
容器本体２の左右一対の側壁２ｂ後端には、これら側壁２ｂを窪ませて一対のヒンジ溝３が形成される。蓋体４の左右一対の側板４ｂ後端には、これらから外方へ突出させて一対のヒンジ突起５が形成され、これらヒンジ突起５は、各ヒンジ溝３に回転自在に挿入されて、容器本体２に対しこれを開閉する蓋体４を回動自在に連結する。これにより、蓋体４は、天板４ａが容器本体２の後壁２ｄおよび側壁２ｂの上端に当接し、容器本体２の上方に重ね合わされて当該容器本体２を閉止する位置から、容器本体２後方へ展開され、天板４ａが容器本体２の底壁２ａに当接して容器本体２を全開する位置まで、ほぼ１８０°回動される。
【００１０】
容器本体２の各側壁２ｂには、前後方向に沿ってスライド溝６が形成される。このスライド溝６は、ヒンジ溝３と連通される。従って、ヒンジ突起５は、ヒンジ溝３からスライド溝６内へ移動可能で、容器本体２の前後方向に沿ってスライド溝６前端までスライド可能とされる。これにより、容器本体２の上方に重ね合わせた閉止状態から容器本体２後方へ展開された開放状態まで回動される蓋体４は、スライド溝６内を移動するヒンジ突起５とともに、容器本体２の上方や下方でその前後方向にスライド移動可能とされる。
【００１１】
スライド溝６とヒンジ溝３との連通部分には、溝幅が狭められて、スライドするヒンジ突起５を係脱自在に係止する第１係止部７が形成される。この第１係止部７は、その係止作用で、ヒンジ突起５の容器本体２後方へのスライド移動の規制およびヒンジ溝３内へのヒンジ突起５の保持を行うようになっている。また、スライド溝６の前端にも、溝幅が狭められて、スライドするヒンジ突起５を係脱自在に係止してその前後方向移動を制止する第２係止部９が形成される。
【００１２】
容器本体２の前壁２ｃには、側壁２ｂ外方へ突出させて、左右一対の拡幅部１２が形成される。これら拡幅部１２は第２係止部９とともに、蓋体４の容器本体２前方へのスライド移動を規制すべく、側板４ｂと当接される。また、容器本体２の前壁２ｃは、側壁２ｂや後壁２ｄよりも高い高さ寸法で形成される。この前壁２ｃには、側壁２ｂ上方へ突出した位置から容器本体２後方へ庇状に張り出した張り出し部１３が形成され、これにより前壁２ｃは、側断面Ｌ字状に形成される。張り出し部１３は、前壁２ｃの左右方向に一連に形成される。本実施形態にあっては、前壁２ｃの拡幅部１２端面が蓋体４の側板４ｂ表面と面一に、また前壁２ｃの張り出し部１３上面が蓋体４の天板４ａ表面と面一に形成される。
【００１３】
蓋体４の前端は、張り出し部１３を含んでＬ字状をなす前壁２ｃの形態に対応させて形成される。すなわち、側板４ｂの前端が前壁２ｃの拡幅部１２に当接した際、天板４ａの前端が張り出し部１３に当接するように、天板４ａの前端は張り出し部１３の張り出し量だけ、側板４ｂの前端よりも後方に設定され、これにより側板４ｂ前端には、天板４ａ前端よりも前方に突出されて、張り出し部１３下に係脱自在に係止される突出部１５が形成される。突出部１５が張り出し部１３下に係止されることにより、容器本体２を開放操作する際の蓋体４の上方への回動が規制される。
【００１４】
容器本体２に対する蓋体４の回動については、ヒンジ突起５がヒンジ溝３に位置するときのみ、蓋体４の回動が許容され、ヒンジ突起５が第１係止部７から離脱してスライド溝６に位置するときには、蓋体４が容器本体２の上方および下方のいずれに位置するときでも、蓋体４の天板４ａと容器本体２とが当接して蓋体４の自由な回動が規制される。
【００１５】
蓋体４で容器本体２を閉止している状態での蓋体４の容器本体２に対するスライド移動は、ヒンジ突起５が第１係止部７を介してヒンジ溝３からスライド溝６へ向かって離脱すると同時に、側板４ｂが拡幅部１２に当接して、これら第１係止部７と拡幅部１２との挟み込み作用で蓋体４の前後方向のスライド移動が規制されるように、ヒンジ突起５と側板４ｂ前端との間の寸法と、第１係止部７と前壁２ｃの拡幅部１２との間の寸法とが同一に設定される。そしてこのような寸法設定により、前壁２ｃの拡幅部１２と第１係止部７とで挟まれてスライド移動が規制された蓋体４は、当該前後スライド移動の規制と同時に、拡幅部１２に当接した側板４ｂの突出部１５が張り出し部１３下に係止されてその回動も規制される。このようにして、張り出し部１３および拡幅部１２を含む前壁２ｃによって、蓋体４の閉止状態における蓋体４の回動およびスライド移動を規制する止錠部８が構成される。
【００１６】
蓋体４がヒンジ溝３周りに回動されて天板４ａが容器本体２の底壁２ａに当接され、これによって容器本体２が全開されている状態での蓋体４の容器本体２下方でのスライド移動は、蓋体４後端のヒンジ突起５がヒンジ溝３に位置しかつ蓋体４前端が容器本体２よりも後方に位置している状態で、蓋体４が容器本体２前方へ移動されると、側板４ｂ後端が前壁２ｃの拡幅部１２に当接すると同時に、ヒンジ突起５が第２係止部９にこれを乗り越えて係止されるように、ヒンジ突起５と側板４ｂ後端との間の寸法と、第２係止部９と拡幅部１２との間の寸法が同一に設定される。さらに、容器本体２の側壁２ｂには、蓋体４を容器本体２に装着するために、底壁２ａ側からスライド溝６にわたって、ヒンジ突起５をスライド溝６に挿入可能とする縦溝１４が形成される。
【００１７】
本実施形態にかかる容器１の作用について説明すると、蓋体４の上下を逆さまにしてヒンジ突起５を、縦溝１４を介してスライド溝６内に挿入すれば、蓋体４は、容器本体２にその下方に位置した状態で組み付けられ、これにより容器１の組み立てを完了することができる。スライド溝６内でスライド自在なヒンジ突起５を縦溝１４位置から容器本体２後方へスライド移動させると、ヒンジ突起５は第１係止部７を介してヒンジ溝３内に進入して係止される。これにより蓋体４を容器本体２上方へ向かって回動させることができる。
【００１８】
容器本体２上方へ回動された蓋体４は、収納凹所１１を上方から覆う閉止状態となる。この状態で、蓋体４を容器本体２前方へスライド移動させると、ヒンジ突起５が第１係止部７から離脱してスライド溝６内へ入り込み、その際、蓋体４の側板４ｂ前端が拡幅部１２に当接しかつ側板４ｂ後端が第１係止部７に係止されてこれら拡幅部１２と第１係止部７との間に側板４ｂが挟み込まれると同時に、側板４ｂの突出部１５が張り出し部１３下に潜り込んで係止されることとなって、蓋体４はそのスライド移動も回動も規制され、これにより蓋体４は容器本体２に対して止錠される。
【００１９】
蓋体４を開放操作する際には、第１係止部７の係止力に抗して蓋体４を容器本体２後方へスライド移動させ、ヒンジ突起５をヒンジ溝３に位置させる。このようにヒンジ突起５をヒンジ溝３に位置させると、蓋体４の側板４ｂ前端が拡幅部１２から離れるとともに側板４ｂの突出部１５が張り出し部１３下から離脱し、蓋体４の回動が許容される。この状態で蓋体４をほぼ１８０°回動させて容器本体２後方へ展開することで、容器本体２を全開することができる。その後、ヒンジ突起５を、第１係止部７を介してヒンジ溝３からスライド溝６へと離脱させることで、蓋体４を容器本体２前方へスライド移動させて、その下に重ね合わせることができる。ヒンジ突起５が第２係止部９にこれを乗り越えて係止され、かつ拡幅部１２に蓋体４の側板４ｂが当接されることで、蓋体４の前方移動が規制され、これにより容器本体２下に重ね合わせた蓋体４を位置固定することができる。
【００２０】
以上説明した本実施形態にかかる容器１にあっては、容器本体２を閉じたり、容器本体２の裏側に移動させることが可能な蓋体４を備える容器１を対象として、容器本体２の前壁２ｃに、張り出し部１３および拡幅部１２を備え、容器本体２の側壁２ｂのスライド溝６に、第１および第２係止部７，９を形成することによって、回動されスライドされる蓋体４の動きを適切に規制することができて、フック代わりの機能を簡単かつ合理的な構成で確保することができる。また、前壁２ｃ周りの寸法設定やスライド溝６内への係止部７，９の形成によって構成できるため、容器本体２の内容量に影響を及ぼすことがなく、従来のようにフックを形成するために外形寸法が大型化することを防止することができる。
【００２１】
また、従来のように、フックなどが外観に現れることを防止でき、良好な外観を確保することができる。また、側板４ｂに突出部１５を形成する形態で、張り出し部１３上面と蓋体４の天板４ａ表面とを面一としたので、良好な外観を確保できる。また、拡幅部１２の左右端面と蓋体４の側板４ｂ表面とを面一としたので、これによっても良好な外観を確保できる。さらに、ヒンジ突起５をスライド溝６に挿入するための縦溝１４を形成したので、組み立て作業の円滑化を図ることができる。
【図面の簡単な説明】
【００２２】
【図１】本発明にかかる容器の好適な一実施形態を説明するための説明図である。
【図２】図１に示した容器の分解斜視図である。
【図３】図１に示した容器の一部破断側面図である。
【符号の説明】
【００２３】
１  容器
２  容器本体
２ｃ  前壁
３  ヒンジ溝
４  蓋体
５  ヒンジ突起
６  スライド溝
７  第１係止部
８  止錠部
９  第２係止部
１２  拡幅部
１３  張り出し部
【図１】
2007308160.tif 000003
【図２】
2007308160.tif 000004
【図３】
2007308160.tif 000005